(57)【特許請求の範囲】
【請求項１】
軒天通気見切り金物によって支持されている軒天板を有する軒天換気構造において、吸熱性物質からなるボード状物・シート状物・粒状物その他の成形体を軒天通気見切り金物に接しないように小屋裏に配置したことを特徴とする軒天換気構造。
【請求項２】
吸熱性物質の吸熱開始温度が、５０〜４００℃であることを特徴とする請求項１に記載の軒天換気構造。
【請求項３】
吸熱性物質が、石膏，シリカゲル，ゼオライト，水酸化銅，硫酸マグネシウム水和物，硫酸アルミニウム水和物，リン酸マグネシウム水和物，リン酸鉄，フッ化鉄，フッ化アルミニウムのうちの１種以上からなることを特徴とする請求項１又は２に記載の軒天換気構造。
【請求項４】
軒天通気見切り金物が外装板に取り付けられることを特徴とする請求項１に記載の軒天換気構造。
【請求項５】
軒天板が珪酸カルシウムボードであることを特徴とする請求項１から４のいずれかに記載の軒天換気構造。
【請求項６】
吸熱性物質からなる粒状物がペレット又はタブレットに成形されていることを特徴とする請求項１から５のいずれかに記載の軒天換気構造。
【請求項７】
軒天板が防火ダンパー付きであることを特徴とする請求項５又は６に記載の軒天換気構造。
【発明の詳細な説明】
【技術分野】
【０００１】
本発明は、建物における屋根の軒先端と建物外装板との間やバルコニーの裏の空所部分などに防火性能を有した天井板を取り付ける軒裏天井（軒天）の換気構造及びその施工方法に関するものである。
【背景技術】
【０００２】
従来、この種の軒裏天井の換気構造としては、例えば図４に図示した特許文献１に示すものが公知である。この換気構造に使用される支持金具（１）は、天井板（５）の端部を差し込めるように断面略コ字状の挿入凹部が設けられている。また、支持金具（１）の上下面には、軒裏空間部へ通気可能なように多数のスリットを設けた換気穴（２）が設けられ、換気穴（２）及び換気用通気路（６）を通して屋外と軒裏空間部との通気が可能となっている。
そして、上記支持金具（１）には、換気穴（２）近くに熱により燃焼することなく膨張する熱膨張材（９）を設け、火災時に熱風により膨張して換気用通気路（６）を塞ぐため、屋外（例えば、隣家）から換気穴（２）を通して火炎や火の粉が侵入しないように構成している。なお、符号は、特許文献１のものである。
【０００３】
しかしながら、火災の時間が長い場合には、支持金具や軒天板を通して熱が小屋裏に伝播して小屋裏の温度が上昇し、屋内に延焼、最終的には全焼に至る可能性が高まる。
このような場合、さらに防火性能を高めるために、例えば特許文献２〜５に示すように、「石膏ボード」等の部材を通気金物の上または近傍に配置する方法が知られている。
【０００４】
【特許文献１】特開平６−７３８２８号公報
【特許文献２】実用新案登録第３０７１９１４号（裏打ち材２）
【特許文献３】特開２０００−２０４６９７号公報（石膏ボード２０）
【特許文献４】特開２００６−１４４４９６号公報（セラミック部材１５ａ）
【特許文献５】特許３８９８８３１号（軒天材１１ａ，１１ｂ）
【発明の開示】
【発明が解決しようとする課題】
【０００５】
石膏ボードは二水石膏が主成分であり、加熱すると８０〜１８０℃で脱水するため、この際の脱水反応によって温度上昇が抑えられるという効果がある。
しかしながら、通気金物の上部に石膏ボードを載置する場合、以下のような課題があった。
（１）火災の際に石膏ボードの表裏面に貼付されたボード原紙（厚紙）が燃焼するため、通気金物の付近で発火しやすく、内部の木質部に引火する危険性があった。
（２）また、通気金物の上や近傍に石膏ボードを設置すると通気が悪くなり、通気金物としての性能が低下するという難点があった。
（３）また、石膏ボードは厚さを自由に選定することはできないため、防火性能の要求値によって使用量を調整することは困難であり、使用に応じて厚さの異なる石膏ボードを在庫する必要があり、施工業者の負担が大きかった。
【０００６】
また、既に施工された軒天換気構造の防火性能を向上させるためには、施工した軒天板を取り外し、新しく防火性能の高い軒天板に交換する必要があり、新たに足場を組む必要が生じるため、交換作業をするため工期、コストともに非常に大きなものになる、という課題があった。
【０００７】
そこで、上記した課題を解決して、簡単な構造で施工が簡易であり、かつ通気性が高く、防火性も高い軒天換気構造及びその施工方法を提供することを目的とするものである。
【課題を解決するための手段】
【０００８】
上記目的を達成するために、第１の発明から第９の発明は、吸熱性物質からなるボード状物・シート状物・粒状物その他の成形体を用いた軒天換気構造である。
すなわち、第１の発明は、軒天板を有する軒天換気構造において、吸熱性物質からなるボード状物・シート状物・粒状物その他の成形体を、小屋裏に配置したことを特徴とするものである。ここで、「小屋裏」とは、屋根と軒天板の間にできる空間を意味する。
第２の発明は、吸熱性物質の吸熱開始温度が、５０〜４００℃であることを特徴とする同軒天換気構造である。ここで、吸熱開始温度とは、吸熱性物質を示差走査熱量計で分析した際に、吸熱を開始する温度を指す。
第３の発明は、吸熱性物質が、石膏，シリカゲル，ゼオライト，水酸化銅，硫酸マグネシウム水和物，硫酸アルミニウム水和物，リン酸マグネシウム水和物，リン酸鉄，フッ化鉄，フッ化アルミニウムのうちの１種以上からなることを特徴とする同軒天換気構造である。
第４の発明は、軒天板が軒天通気見切り金物によって支持されていることを特徴とする同軒天換気構造である。
第５の発明は、軒天板が防火ダンパー付きであることを特徴とする同軒天換気構造である。
第６の発明は、吸熱性物質からなるボード状物・シート状物・粒状物その他の成形体を軒天通気見切り金物に接しないように配置したことを特徴とする同軒天換気構造である。
第７の発明は、軒天通気見切り金物が外装板に取り付けられることを特徴とする同軒天換気構造である。
第８の発明は、軒天板が珪酸カルシウムボードであることを特徴とする同軒天換気構造である。
第９の発明は、吸熱性物質からなる粒状物がペレット又はタブレットに成形されていることを特徴とする同軒天換気構造である。
【０００９】
さらに、第１０の発明から第１３の発明は、吸熱性物質からなるボード状物・シート状物・粒状物その他の成形体を用いた軒天換気構造の施工方法である。
すなわち、第１０の発明は、軒天板を有する既設の軒天換気構造の施工方法において、一部の軒天板を取り外し、軒天板を取り外した部分から小屋裏に吸熱性物質からなるボード状物・シート状物・粒状物その他の成形体を配置したことを特徴とするものである。
第１１の発明は、吸熱性物質の吸熱開始温度が、５０〜４００℃であることを特徴とする同軒天換気構造の施工方法である。
第１２の発明は、吸熱性物質が、石膏，シリカゲル，ゼオライト，水酸化銅，硫酸マグネシウム水和物，硫酸アルミニウム水和物，リン酸マグネシウム水和物，リン酸鉄，フッ化鉄，フッ化アルミニウムのうちの１種以上からなることを特徴とする同軒天換気構造の施工方法である。
第１３の発明は、吸熱性物質からなる粒状物がペレット又はタブレットに成形されていることを特徴とする同軒天換気構造の施工方法である。
【発明の効果】
【００１０】
本発明によれば、以下のような効果を有する。
（１）本発明のように、吸熱性物質からなるボード状物・シート状物・粒状物その他の成形体を小屋裏に配置した軒天換気構造であれば、軒天板が火災によって高熱に曝された場合でも、その受けた熱を吸熱し、軒天の内側である小屋裏の温度上昇を抑制することができる。吸熱性物質からなるボード状物を使用する場合には、かさが小さく輸送効率が高い、強度が高く施工しやすいなどの特徴がある。吸熱性物質からなるシート状物を使用する場合には、例えばシート状物をロール状に巻いた状態で施工現場まで輸送し、軒天板を施工した後に軒天板上でロールを巻き戻して施工することができる、カットが容易である、可とう性が高いため小屋裏の凹凸形状に追従させることが容易など、施工が容易である。この場合、シート状物とは、ペーパー、マット、フェルト等の可とう性を持つ形状のものを指す。吸熱性物質からなる粒状物を小屋裏に配置する軒天換気構造であれば、ボードやシート状物を配置した場合に比較して、比表面積が大きくなることから、吸熱効果がより発現しやすく、温度上昇の抑制に非常に効果的である。
（２）吸熱性物質の吸熱開始温度が、５０〜４００℃であることで、火災の発生に対して小屋裏の熱を効果的に吸熱し、小屋裏の温度上昇を確実に抑制することができる。特に、この吸熱性物質としては、石膏，シリカゲル，ゼオライト，水酸化銅，硫酸マグネシウム水和物，硫酸アルミニウム水和物，リン酸マグネシウム水和物，リン酸鉄，フッ化鉄，フッ化アルミニウムのうちの１種以上とすることが好ましい。火災の際には、屋根裏の木質部に引火しないようにすることが重要であるが、これらの物質は、加熱によって脱水する際に、吸熱反応が生じるとともに水分が発生し、小屋裏の温度が１００℃程度に保持され、屋根の木材の引火温度（約２２０℃）以下の温度を一定時間保持することができ、高い防火性能を発揮することができる。火災の際の小屋裏外部温度は、１０００℃以上になることが想定されており、小屋裏の温度との間には温度勾配があるため、軒天板直近などのように温度上昇の大きい部分には吸熱開始温度が高い物質を配置することで、効果的に防火性能を発揮することができる。
（３）従来のように、石膏ボード等を軒天通気見切り金物の上部に配置した場合には、軒天通気見切り金物の部分から小屋裏側へ進入しようとする炎（熱風）によって石膏ボードの表裏面に貼付されたボード原紙（厚紙）が発火する危険性があるが、本発明のように、吸熱性物質を軒天板の上に、軒天通気見切り金物に接しないように配置することで、この燃焼を防止することができる。
（４）本発明のように、軒天通気見切り金物が外装板に取り付けられることで、破風板側（反外装板側）に開口部がなくなり、外からの炎や熱風が進入しにくくなる。また、この時破風板側に吸熱性物質があれば、破風板側に開口部がある構造に比較して小屋裏の温度上昇を抑えることができ、防火性能を高めることができる。さらには、熱風が外装板寄りから進入するので、開口部から屋根までの距離が破風板側に開口部がある場合に比較して遠く、空気が滞留するスペースが広くなるため、石膏ボード等の吸熱性物質の吸熱による温度上昇が低減された構造を容易に提供できる。
（５）特に、軒天板が珪酸カルシウムボードである場合には、強度に優れた防火構造体となるため好ましい。
（６）吸熱性物質がタブレットやペレットの形状に成形されていれば、タブレットローダーなどを使用して地上部から小屋裏に簡単に輸送することができる。
（７）吸熱性物質からなる成形体を小屋裏に配置する軒天換気構造の施工方法であれば、軒天板全てを取り外すことなく、一部の軒天板を取り外し、周囲の軒天板の上に、吸熱性物質を配置し、その後に取り外した軒天板の代わりに新しい軒天板をはめ込む施工方法で済むので、施工に必要な足場を組むことなどが不要で、簡便な方法により施工することができる。
（８）特に、粒状物を使用する場合には小屋裏に配置する粒状物の量（例えば敷き詰めた厚み）によって吸熱量が決まるので、必要とされる吸熱量の要求に対して粒状物の量を柔軟に対応することができる（吸熱量が多く必要であれば、厚くなるように粒状物の量を多くし、吸熱量が小さくても充分であれば、その逆にすればよい）。また、軒天板上のある部分のみを厚くしたり、薄くしたりする調整にも柔軟に対応できる。
【発明を実施するための最良の形態】
【００１１】
本発明の実施形態を図面に基づいて説明する。
図１〜図３は、いずれも軒天換気構造を示したものである。
この軒天換気構造は、外装板４０に設けられた軒天通気見切り金物３０に支持されるようにして、軒先から垂下する破風板５０と外装板４０との間に軒天板１０が取り付けられている。そして、本発明は、火災に際して、この軒天板１０を介して熱が小屋裏６０に伝播し小屋裏６０内の温度が上昇することを防止するため、吸熱性物質の成形体２０を用いて軒天板１０の被熱を吸収するものである。
【００１２】
［実施例１］
図１は、本発明に係る実施例１及び実施例２を示した説明図である。
まず、実施例１は、吸熱性物質の成形体としてゼオライトを吸熱物質として含有するシートを使用した軒天換気構造である。その具体的施工方法は、次の通りである。
（１）通気見切り金物をステンレスビスで建物外装板に固定する。
（２）珪酸カルシウム製軒天板を、通気見切り金物の挿入凹部に斜め下方向から挿入し、建物一辺につき一枚ずつ残して施工する。
（３）ゼオライトを吸熱物質として含有するシートを複数毎重ね合わせた成形体をロール状に巻いた材料を用意し、軒天板を施工していない部分から、小屋裏に入れ、ロールを巻き戻して軒天板の上に敷き詰める。
【００１３】
［実施例２］
次に、実施例２は、吸熱性物質の成形体として石膏ボードを使用した軒天換気構造である。その具体的施工方法は、次の通りである。
（１）通気見切り金物をステンレスビスで建物外装板に固定する。
（２）石膏ボードを軒天通気見切り金物に接しないように珪酸カルシウム製軒天板と貼り合わせ、その貼り合わせたものを、通気見切り金物の挿入凹部に斜め下方向から挿入する。
（３）軒天板を地面と平行となるように調整し、見切り金物の反対側の端をステンレス釘で破風板に止める。
【００１４】
上記実施例１及び実施例２の構造とすることで、以下のように複合的な作用・効果を得ることができる。
（１）温度上昇の速い破風板側に開口部がないので、熱風が進入しにくい。
（２）破風板側にゼオライトを含有するシートまたは石膏ボードがあり、小屋裏の温度上昇を抑えることができる。
（３）石膏ボードを軒天板の上に軒天通気見切り金物に接しないように配置しているので、石膏ボードの両面に貼付された原紙（厚紙）の燃焼を防止することができる。
（４）通気見切り金物を通過する熱風が外装板寄りから進入するので、通気見切り金物が破風板側に施工されている場合に比較して屋根までの距離が遠く、屋根の延焼を防止しやすい。
（５）通気見切り金物が破風板側に施工されている場合に比較して屋根までの距離が遠いので、空気が小屋裏内を循環しやすく、ゼオライトを含有するシートまたは石膏ボードの吸熱による温度低下が小屋裏内を速やかに伝播し、木質部の局所的な温度上昇を防ぐことができる。
【００１５】
［実施例３］
図２は、本発明に係る実施例３及び実施例４を示した説明図である。
まず、実施例３は、吸熱性を有する粒状物として、粒状石膏を使用した軒天換気構造である。その具体的施工方法は次の通りである。
（１）通気見切り金物をステンレスビスで建物外装板に固定する。
（２）軒天板を通気見切り金物の挿入凹部に斜め下方向から挿入する。
（３）軒天板を地面と平行となるように調整し、見切り金物の反対側の端をステンレス釘で破風板に止める。
（４）建物の１辺につき一枚以上、軒天板を挿入しない部分を残し、この部分からタブレットローダーを使用して、粒状石膏を小屋裏の軒天板上に輸送し、敷き詰める。
（５）軒天板を使用していない部分には、ステンレス製平織金網を袋状に加工し、その中に粒状石膏を入れたものを用意し、軒天板の上に載せて目封じする。
【００１６】
［実施例４］
次に、実施例４は、吸熱性を有する粒状物として、ゼオライトを使用した軒天換気構造である。その具体的施工方法は次の通りである。
（１）通気見切り金物をステンレスビスで建物外装板に固定する。
（２）軒天板を通気見切り金物の挿入凹部に斜め下方向から挿入する。
（３）軒天板を地面と平行となるように調整し、見切り金物の反対側の端をステンレス釘で破風板に止める。
（４）建物の１辺につき一枚以上、軒天板を挿入しない部分を残し、この部分からタブレットローダーを使用して、粒状ゼオライトを小屋裏の軒天板上に輸送し敷き詰めた。
（５）軒天板を使用していない部分には、ステンレス製平織金網を袋状に加工し、その中に粒状ゼオライトを入れたものを用意し、軒天板の上に載せて目封じした。
【００１７】
上記実施例３及び実施例４の構造とすることで、以下のように複合的な作用・効果を得ることができる。
（１）温度上昇の速い破風板側に開口部がないので、熱風が進入しにくい。
（２）破風板側に粒状石膏または粒状ゼオライトがあり、小屋裏の温度上昇を抑えることができる。
（３）破風板側、及び通気見切り金物周辺に粒状石膏または粒状ゼオライトを多く配置することができ、小屋裏の温度上昇をより低く抑えることができる。
（４）通気見切り金物を通過する熱風が外装板寄りから進入するので、通気見切り金物が破風板側に施工されている場合に比較して屋根までの距離が遠く、屋根の延焼を防止しやすい。
（５）通気見切り金物が破風板側に施工されている場合に比較して屋根までの距離が遠いので、空気が小屋裏内を循環しやすく、粒状石膏または粒状ゼオライトの吸熱による温度低下が小屋裏内を速やかに伝播し、木質部の局所的な温度上昇を防ぐことができる。
【００１８】
［実施例５］
図３は、本発明に係る実施例５及び実施例６を示した説明図である。
まず、実施例５は、吸熱性を有する粒状物として、粒状石膏を使用した軒天換気構造の施工方法である。その具体的施工方法は次の通りである。
（１）施工済みの軒天板を建物１辺につき一枚ずつ取り外す（Ａ）。
（２）タブレットローダーを使用して、粒状石膏を小屋裏の軒天板上に輸送し敷き詰める（Ｂ）。
（３）軒天板を使用していない部分には、ステンレス製平織金網を袋状に加工し、その中に粒状石膏を入れたものを用意し、軒天板の上に載せて目封じする（Ｃ）。
【００１９】
［実施例６］
次に、実施例６は、吸熱性を有する粒状物として、ゼオライトを使用した軒天換気構造の施工方法である。その具体的施工方法は次の通りである。
（１）施工済みの軒天板を建物１辺につき一枚ずつ取り外す（Ａ）。
（２）タブレットローダーを使用して、粒状ゼオライトを小屋裏の軒天板上に輸送し敷き詰める（Ｂ）。
（３）天板を使用していない部分には、ステンレス製平織金網を袋状に加工し、その中に粒状ゼオライトを入れたものを用意し、軒天板の上に載せて目封じした（Ｃ）。
【００２０】
上記実施例５及び実施例６の施工方法とすることで、以下のように複合的な作用・効果を得ることができる。
（１）軒天板の一部だけを取り外し、周囲の軒天板の上に、吸熱性を有する粒状物（ペレット・タブレット等）などを、タブレットローダーなどを使用して輸送し、軒天板の上に敷き詰め、その後に取り外した軒天板の代わりに新しい軒天板をはめ込むだけで施工工事が簡易に行える。
（２）すなわち、従来であれば、施工した軒天板を全て取り外し、新しく施工性能の高い軒天板に交換する必要があり、新たに足場を組む必要が生じるため、交換作業をするため工期、コストともに非常に大きなものになっていたが、実施例４及び実施例５の施工方法とすることで、足場を組む必要がなくなり、また、（１）のような作業だけで済むことで、大幅な工期・コストの削減となる。
【産業上の利用可能性】
【００２１】
本発明は、軒天換気構造及びその施工工事に幅広く利用できるものである。
また、施工方法の一部は、新築工事にも利用できるものである。
【図面の簡単な説明】
【００２２】
【図１】本発明に係る実施例１及び実施例２を示した説明図である。
【図２】本発明に係る実施例３及び実施例４を示した説明図である。
【図３】本発明に係る実施例５及び実施例６を示した説明図である。
【図４】従来技術（特許文献１）を示した説明図である。
【符号の説明】
【００２３】
１０  軒天板
２０  吸熱性物質の成形体
３０  軒天通気見切り金物
４０  外装板
５０  破風板
６０  小屋裏
【図１】
0005096953.tif 000002
【図２】
0005096953.tif 000003
【図３】
0005096953.tif 000004
【図４】
0005096953.tif 000005